(57)【要約】【課題】燃焼排気の排出方向を変更する排気ボックスを備えた熱源機において、ドレン水の滴下や溢水等の不都合を防止すること。また、本発明の他の目的は、排気ボックスの排気口における排気方向を調整して家屋の壁面等への結露を防止すること。【解決手段】熱源機２の排気口６に取り付けられて排気方向を変更させる排気手段（排気ボックス８）と、この排気手段内に溜まるドレン水ＤＷを熱源機の筐体４内に回収するドレン回収路１０とを備えている。係る構成によれば、排気手段内を通過する燃焼排気ＥＧから排気手段内に生じるドレン水ＤＷを熱源機の筐体内にドレン回収路を通して回収することにより、排気手段にドレン水を貯留させることがなく、排気手段からのドレン水の漏洩や溢水を防止できる。【選択図】　　　　図１
2004044981.tif 000002
【特許請求の範囲】
【請求項１】
熱源機の排気口に取り付けられて排気方向を変更させる排気手段と、
この排気手段内に溜まるドレン水を前記熱源機の筐体内に回収するドレン回収路と、
を備えたことを特徴とする熱源機。
【請求項２】
前記熱源機は、燃焼排気の上流側に設置されて該燃焼排気から主として顕熱を回収する一次熱交換器と、前記燃焼排気の下流側に設置されて前記燃焼排気から主として潜熱を回収する二次熱交換器とを備えたことを特徴とする請求項１記載の熱源機。
【請求項３】
前記ドレン回収路は前記筐体から前記排気手段に燃焼排気を導く排気通路と共通化されたことを特徴とする請求項１記載の熱源機。
【請求項４】
前記排気手段の吹出し口に排気方向を変更するガイドを備えたことを特徴とする請求項１記載の熱源機。
【請求項５】
前記筐体内に前記ドレン水を中和する中和手段が備えられ、前記排気手段から前記筐体内に回収されたドレン水を前記熱源機側で発生したドレン水とともに前記中和手段で中和処理されることを特徴とする請求項１記載の熱源機。
【発明の詳細な説明】
【０００１】
【発明の属する技術分野】
本発明は、高効率給湯器等の熱源機に関し、特に、熱源機の排気方向の調節、ドレン水の処理に関する。
【０００２】
【従来技術】
高効率給湯器等に用いられる熱源機では、燃焼排気から主として顕熱を回収する一次熱交換器、燃焼排気から主として潜熱を回収する二次熱交換器を併設し、一次熱交換器を燃焼排気の上流側、二次熱交換器を燃焼排気の下流側に配設している。そして、熱交換によって発生したドレン水は強酸性であることから、中和器によって中和させた後、廃棄することが行われている。この種の技術には、例えば、特開２００１−２６３７８９号「風呂給湯設備」がある。
【０００３】
このような熱源機について、例えば、図４に示すように、マンション等の家屋の奥まった玄関口のアルコーブ１００等に熱源機１０２が設置される場合には、図５に示すように、熱源機１０２の前面パネル部１０４に燃焼排気ＥＧの排気方向を変更するための排気ボックス１０６を取り付け、熱源機１０２の前面側排気の吹出しが排気ボックス１０６で通路１０８側に変更されている。この結果、熱源機１０２と対向する玄関１１０側への燃焼排気ＥＧの侵入が防止されている。
【０００４】
【発明が解決しようとする課題】
ところで、燃焼排気路に設置された排気ボックス１０６には燃焼排気ＥＧから結露が生じ、発生したドレン水ＤＷがその内部に溜まるとともに、排気ボックス１０６の貯留量を超えたドレン水ＤＷの溢水や滴下が家屋の床面を濡らす等の不都合がある。燃焼排気ＥＧから生じる結露やドレン水ＤＷの発生を防止することは不可能であり、ドレン水ＤＷは強酸水であることから、排気ボックス１０６が貯留したドレン水ＤＷで腐食し、排気ボックス１０６から溢れ出たドレン水ＤＷが家屋の床面を劣化させ、コンクリートを変色させるという不都合が指摘されている。
【０００５】
また、排気ボックス１０６で燃焼排気ＥＧの吹出し方向が変更されても、例えば、図６に示すように、その燃焼排気ＥＧが家屋の壁面１１２に常に触れる場合には、その壁面１１２に結露１１４を生じさせる不都合がある。
【０００６】
そこで、本発明は、燃焼排気の排出方向を変更する排気ボックスを備えた熱源機において、ドレン水の滴下や溢水等の不都合を防止した熱源機を提供することを目的とする。また、本発明の他の目的は、排気ボックスの排気口における排気方向を調整して家屋の壁面等への結露を防止した熱源機の提供にある。
【０００７】
【課題を解決するための手段】
上記課題を解決した本発明の熱源機の構成は次の通りである。
【０００８】
本発明の熱源機において、請求項１に係る熱源機は、熱源機２の排気口６に取り付けられて排気方向を変更させる排気手段（排気ボックス８）と、この排気手段内に溜まるドレン水ＤＷを前記熱源機の筐体４内に回収するドレン回収路１０とを備えたものである。即ち、排気手段内を通過する燃焼排気から排気手段内に生じるドレン水を熱源機の筐体内にドレン回収路を通して回収することにより、排気手段にドレン水を貯留させることがなく、排気手段からのドレン水の漏洩や溢水を防止できる。
【０００９】
本発明の熱源機において、請求項２に係る熱源機は、燃焼排気ＥＧの上流側に設置されて該燃焼排気から主として顕熱を回収する一次熱交換器１４と、前記燃焼排気の下流側に設置されて前記燃焼排気から主として潜熱を回収する二次熱交換器１６とを備えたものである。即ち、高効率の熱源機で発生する多量のドレン水を回収処理することができる。
【００１０】
本発明の熱源機において、請求項３に係る熱源機は、前記ドレン回収路が前記筐体から前記排気手段に燃焼排気を導く排気通路１２と共通化されたものである。即ち、排気通路とドレン回収路とを共通化させることにより、構造の簡略化を図ることができる。
【００１１】
本発明の熱源機において、請求項４に係る熱源機は、前記排気手段の吹出し口５０に排気方向を変更するガイド（排気ガイド５２、５６）を備えたものである。排気手段によって排気方向を変更した場合、その吹き出し口から出た燃焼排気が家屋の壁面等に結露を生じさせるのを防止できる。
【００１２】
本発明の熱源機において、請求項５に係る熱源機は、前記筐体内に前記ドレン水を中和する中和手段（中和器３８）が備えられ、前記排気手段から前記筐体内に回収されたドレン水を前記熱源機側で発生したドレン水とともに前記中和手段で中和処理されるものである。即ち、強酸性のドレン水を中和し、廃棄することができる。
【００１３】
【発明の実施の形態】
図１は、本発明の熱源機の第１の実施の形態を示し、熱源機２の筐体４の排気口６には燃焼排気ＥＧの排気方向を変更させる排気手段として排気ボックス８が取り付けられ、この排気ボックス８内に溜まるドレン水ＤＷを筐体４内側に回収するドレン回収路１０が設けられている。この実施の形態では、ドレン回収路１０は、熱源機２から燃焼排気ＥＧを排気ボックス８に導びく排気通路１２と共通化されている。
【００１４】
熱源機２は、その筐体４内に燃焼排気ＥＧから主として顕熱を回収する一次熱交換器１４と、燃焼排気ＥＧから主として潜熱を回収する二次熱交換器１６とを備えたものである。一次熱交換器１４は、燃焼排気ＥＧの上流側に設置され、二次熱交換器１６は燃焼排気ＥＧの下流側に設置されている。この場合、燃焼室１８には燃料ガス等を燃焼させるバーナ２０が設置され、その下面側には燃焼に必要な空気を供給する給気ファン２２が設置されている。燃焼室１８の上部側には、排気通路１２に通ずる排気通路２４が設置され、この排気通路２４に流れる燃焼排気ＥＧの上流側に一次熱交換器１４、その下流側に二次熱交換器１６が設置されている。排気通路２４は、燃焼室１８の上部側から二次熱交換器１６を設置するための空間部を形成するために燃焼室１８の前面側に屈曲して配置されている。２６は一次熱交換器１４の熱交管、２８は二次熱交換器１６の熱交管である。排気通路２４には、二次熱交換器１６の熱交管２８に燃焼排気ＥＧを通過させて排気通路１２に導く手段として分離壁３０が設置されているとともに、この分離壁３０によって排気路３２が形成されている。
【００１５】そして、排気通路２４の排気口６に排気通路１２を介して取り付けられた排気ボックス８の底面板３４は、筐体４側に傾斜する傾斜面で構成されてドレン回収路１０を構成している。この結果、燃焼排気ＥＧの凝縮によって排気ボックス８に発生したドレン水ＤＷは、排気ボックス８の底面板３４からドレン回収路１０を経て筐体４内の排気通路２４に導びかれる。
【００１６】
筐体４内にはドレン水ＤＷを中和する中和剤を収容した中和器３８が設置され、この中和器３８はドレン水ＤＷを導びく導水管４０を介して排気通路２４に連結されている。中和器３８には、中和されたドレン水ＤＷを排水する排水管４２が連結され、筐体４の底面部には排水管４２の排水口４４が設けられている。また、二次熱交換器１６を収容している排気通路２４には、熱交管２８から発生するドレン水ＤＷを排気通路２４の底面側に導びく案内板３６が設置され、二次熱交換器１６側のドレン水ＤＷも中和器３８側に導びかれて中和される。
【００１７】
このように構成したので、この熱源機２は、例えば、図２に示すように、二次熱交換器１６の熱交管２８の端部には給水口４６、熱交管２８の他端には一次熱交換器１４の熱交管２６が連結され、この熱交管２６の端部に出湯口４８が形成されている。給水口４６に供給された水Ｗは、二次熱交換器１６で燃焼排気ＥＧから主として潜熱を回収して加熱された後、一次熱交換器１４で燃焼排気ＥＧ　から主として顕熱を回収して加熱され、出湯口４８から高温水ＨＷとして出湯される。
【００１８】
そして、燃焼排気ＥＧは、一次熱交換器１４から二次熱交換器１６に流れ、排気通路２４の排気路３２から排気通路１２及び排気ボックス８を経て外気に放出される。排気ボックス８で凝縮したドレン水ＤＷは、ドレン回収路１０から筐体４内に回収され、中和器３８に流れ込み、また、二次熱交換器１６側で凝縮したドレン水ＤＷも中和器３８に流れ込み、これらドレン水ＤＷは、中和された後、排水口４４から外部に排出される。
【００１９】
このような実施の形態によれば、排気ボックス８の底面板３４側を排気口６下面と同一面にし、しかも、傾斜面としたので、排気ボックス８内で結露したドレン水ＤＷは、排気口６から筐体４側の中和器３８に流れ落ちて中和される。
【００２０】
その結果、排気ボックス８側の全てのドレン水ＤＷは、筐体４内に導かれて排気ボックス８内に滞留しないので、排気ボックス８の構成材料を腐食させたり、排気ボックス８外に溢水することがない。排気ボックス８の底面部を筐体４側に傾斜させたので、排気ボックス８内にドレン水ＤＷが滞留することがない。
【００２１】
次に、例えば、図３の（Ａ）に示すように（第２の実施の形態）、排気ボックス８の吹出し口５０に燃焼排気ＥＧの排気方向を変更する手段として、複数の排気ガイド５２を設置すれば、外気に放出される燃焼排気ＥＧを家屋の外壁５４から遠ざけることができ、壁面への結露の付着を防止できる。
【００２２】
また、図３の（Ｂ）に示すように（第３の実施の形態）、排気ボックス８の吹出し口５０の筐体４側の縁部に燃焼排気ＥＧの排気方向を変更する手段として、排気ガイド５６を設置すれば、同様に、外気に放出される燃焼排気ＥＧを家屋の外壁５４から遠ざけることができ、壁面への結露の付着を防止できる。
【００２３】
【発明の効果】
以上説明したように、本発明によれば、次の効果が得られる。
【００２４】
請求項１に係る本発明によれば、排気手段内を通過する燃焼排気から排気手段内に生じるドレン水を熱源機の筐体内に回収するので、排気手段にドレン水を貯留させることがなく、排気手段からのドレン水の漏洩や溢水を防止できる。
【００２５】
請求項２に係る本発明によれば、一次熱交換器及び二次熱交換器を併設した高効率給湯器等の熱源機に設置した排気手段に発生する多量のドレン水を筐体内に回収して処理することができる。
【００２６】
請求項３に係る本発明によれば、排気通路とドレン回収路とを共通化させることにより、構造の簡略化を図ることができる。
【００２７】
請求項４に係る本発明によれば、排気手段によって排気方向を変更した場合にも、その吹出し口から出た燃焼排気が家屋の壁面等に結露を生じさせるのを防止することができる。
【００２８】
請求項５に係る本発明によれば、排気手段から筐体内に回収されたドレン水を筐体内に発生したドレン水とともに中和手段で中和処理して廃棄することができる。
【図面の簡単な説明】
【図１】本発明の第１の実施の形態に係る排気ボックスを備えた熱源機を示す図である。
【図２】熱源機の構成を示す図である。
【図３】熱源機の排気ボックスの吹出し口の構成を示し、（Ａ）は複数の排気ガイドを設置した場合を示す図、（Ｂ）は単一の排気ガイドを設置した場合を示す図である。
【図４】熱源機の設置例を示す図である。
【図５】排気ボックスを備えた従来の熱源機の設置例を示す図である。
【図６】排気ボックスを設置した場合の家屋壁面への結露を示す図である。
【符号の説明】
２　熱源機
６　排気口
８　排気ボックス
１０　ドレン回収路
１２　排気通路
１４　一次熱交換器
１６　二次熱交換器
３８　中和器（中和手段）
５０　吹出し口
５２、５６　排気ガイド
【図１】
2004044981.tif 000003
【図２】
2004044981.tif 000004
【図３】
2004044981.tif 000005
【図４】
2004044981.tif 000006
【図５】
2004044981.tif 000007
【図６】
2004044981.tif 000008